(57)【要約】  ヘルメット（１）は、生体用非接触センサ（１００）と、帽体（１０）と、帽体（１０）の内側に装着されるヘッドバンド（３００）とを備える。ヘッドバンド（３００）は、帽体（１０）の前頭部（ＦＤ）に対向する面に、第１突起部（３０１）と、第２突起部（３０２）とを備える。生体用非接触センサ（１００）は、第１面（１０１）と、第１面（１０１）に対向する第２面（１０２）とを有する第１筐体（１０５）と、第１面（１０１）に設けられた第１爪部（１１０）と、第２面（１０２）に設けられた第２爪部（１２０）とを有する。第１爪部（１１０）が第１突起部（３０１）に当接して固定され、第２爪部（１２０）が第２突起部（３０２）に当接して固定される。
2019220908.tif 000002
【特許請求の範囲】
【請求項１】
生体用非接触センサと、
帽体と、
前記帽体の内側に装着されるヘッドバンドと、
を備え、
前記ヘッドバンドは、前記帽体の前頭部に対向する面に、第１突起部と、第２突起部と、を備え、
前記生体用非接触センサは、
第１面と、前記第１面に対向する第２面と、を有する、第１筐体と、
前記第１面に設けられた第１爪部と、
前記第２面に設けられた第２爪部と、を有し、
前記第１爪部が前記第１突起部に当接して固定され、前記第２爪部が前記第２突起部に当接して固定される、ヘルメット。
【請求項２】
前記生体用非接触センサは、
前記第１面に設けられた第３爪部と、
前記第２面に設けられた第４爪部と、をさらに備え、
前記ヘッドバンドは、第３突起部と、第４突起部と、を備え、
前記第１爪部が前記第１突起部に差し込まれて固定され、
前記第２爪部が前記第２突起部に差し込まれて固定され、
前記第３爪部が前記第３突起部に差し込まれて固定され、
前記第４爪部が前記第４突起部に差し込まれて固定される、
請求項１に記載のヘルメット。
【請求項３】
前記生体用非接触センサは、
第１固定用穴を有し、前記第１面における前記第１爪部と前記第３爪部との間に設けられた第５爪部と、
第２固定用穴を有し、前記第２面における前記第２爪部と前記第４爪部との間に設けられた第６爪部と、をさらに備える、
請求項２に記載のヘルメット。
【請求項４】
前記生体用非接触センサは、
前記第１面に設けられた第３爪部をさらに備え、
前記ヘッドバンドは、第３突起部と、第４突起部と、を備え、
前記第１爪部が前記第１突起部に差し込まれて固定され、
前記第３爪部が前記第３突起部に差し込まれて固定され、
前記第２爪部が、前記第２突起部と前記第４突起部との間に挟持される、
請求項１に記載のヘルメット。
【請求項５】
前記第１爪部と、前記第２爪部には、
それぞれ、第１固定用穴と、第２固定用穴と、が形成されている、請求項１または請求項２に記載のヘルメット。
【請求項６】
前記帽体の外側に配置された第２筐体と、
前記第２筐体にそれぞれ内蔵された、蓄電部と、無線通信部と、環境用センサと、
を備え、
前記第１筐体と、前記第２筐体とは、前記帽体の内側と、前記ヘッドバンドとの間に配置された、配線によって接続される、
請求項１乃至請求項５のいずれかに記載のヘルメット。
【請求項７】
前記第１筐体は、
前記第１面と、前記第２面と、胴体部と、蓋部とを備え、
前記第１面と、前記第２面と、前記胴体部、または、前記第１面と、前記第２面と、前記蓋部とは、両面テープによって、接合されている、請求項１乃至請求項６のいずれかに記載のヘルメット。
【請求項８】
前記生体用非接触センサは、光学系を利用したセンサ素子を含み、
前記ヘッドバンドは、計測用穴部を有し、前記計測用穴部と、前記センサ素子の入出光部とは、対向している、請求項１乃至請求項７のいずれかに記載のヘルメット。
【請求項９】
生体用非接触センサと、帽体と、前記帽体の内側に配置されたヘッドバンドと、
を備え、
前記生体用非接触センサは、
前記帽体と、前記ヘッドバンドとの間に固定される、ヘルメット。
【請求項１０】
生体用非接触センサをバンドに取り付ける、取付構造であって、
前記生体用非接触センサは、
第１面と、前記第１面とに対向する第２面を有する矩形状の胴体部と、
前記第１面に設けられた第１爪部と、
前記第２面に設けられた第２爪部と、を有し、
前記第１爪部と第２爪部とを用いて取り付けられる、センサの取付構造。
【発明の詳細な説明】
【技術分野】
【０００１】
この発明は、ヘルメット、およびヘルメットにセンサを取り付けるための構造に関する。
【背景技術】
【０００２】
従来、センサが取り付けられたヘルメットが各種実用化されている。作業者がこのヘルメットを装着することによって、当該センサは、作業場での作業者の生体データ、作業場の環境データ、作業者の動作に伴う体動データ等を計測する。また、管理者は、これらの計測データと、過去の蓄積されたデータと比較することによって、作業者または作業場に、異常状態が発生していないかを検出している。
【先行技術文献】
【特許文献】
【０００３】
【特許文献１】特開２０１７−１９７８６６号公報
【発明の概要】
【発明が解決しようとする課題】
【０００４】
しかしながら、特許文献１に記載の構造におけるセンサは、当該センサの電極が、作業者の額に当接することで生体信号を取得している。すなわち、当該センサの電極が作業者の額（皮膚）に接触する。このため、作業者は違和感を覚えたり、作業者によっては、電極の金属に対してアレルギー反応が発生したりする可能性がある。【０００５】
したがって、本発明の目的は、装着者に、装着時の違和感を軽減しつつ、生体情報または環境情報を取得可能なセンサを備えたヘルメットを提供することである。
【課題を解決するための手段】
【０００６】
この発明の一態様に係るヘルメットは、生体用非接触センサと、帽体と、帽体の内側に装着されるヘッドバンドとを備える。ヘッドバンドは、帽体の前頭部に対向する面に、第１突起部と、第２突起部とを備える。生体用非接触センサは、第１面と、第１面に対向する第２面とを有する第１筐体と、第１面に設けられた第１爪部と、第２面に設けられた第２爪部とを有する。第１爪部が第１突起部に当接して固定され、第２爪部が第２突起部に当接して固定される。【０００７】
この構成では、ヘルメットを装着するときにセンサが作業者の頭部に直接接触しないため、装着時の違和感を軽減することができる。【０００８】
この発明の一態様に係る生体用非接触センサは、第１面に設けられた第３爪部と、第２面に設けられた第４爪部とをさらに備えていることが好ましい。ヘッドバンドは、第３突起部と、第４突起部とを備える。第１爪部は第１突起部に差し込まれて固定される。第２爪部は、第２突起部に差し込まれて固定される。第３爪部は、第３突起部に差し込まれて固定される。第４爪部は、第４突起部に差し込まれて固定される。このことによって、生体用非接触センサはヘッドバンドに固定される。【０００９】
この構成では、生体用非接触センサをヘッドバンドにより確実に固定できる。【００１０】
この発明の一態様に係る生体用非接触センサは、第１固定用穴を有し、第１面における第１爪部と第３爪部との間に設けられた第５爪部と、第２固定用穴を有し、第２面における第２爪部と第４爪部との間に設けられた第６爪部とをさらに備えていることが好ましい。【００１１】
この構成では、第１固定用穴と第２固定用穴に固定用のバンドを通すことによって、生体用非接触センサをより確実に固定することもできる。【００１２】
この発明の一態様に係る生体用非接触センサは、第１面に設けられた第３爪部をさらに備えていることが好ましい。ヘッドバンドは、第３突起部と、第４突起部とを備える。第１爪部は、第１突起部に差し込まれて固定される。第３爪部は、第３突起部に差し込まれて固定される。第２爪部は、第２突起部と第４突起部との間に挟持される。【００１３】
この構成では、生体用非接触センサをヘッドバンドに、容易に固定できる。【００１４】
この発明の一態様に係る生体用非接触センサの第１爪部と、第２爪部には、それぞれ、第１固定用穴と、第２固定用穴とが形成されていることが好ましい。【００１５】
この構成では、第１固定用穴と第２固定用穴に固定用のバンドを通すことによって、生体用非接触センサをより確実に固定することもできる。【００１６】
この発明の一態様に係るヘルメットは、帽体の外側に配置された第２筐体と、第２筐体にそれぞれ内蔵された、蓄電部と無線通信部と環境用センサとを備えていることが好ましい。第１筐体と、第２筐体とは、帽体の内側とヘッドバンドとの間に配置された、配線によって接続される。【００１７】
この構成では、帽体の外側に蓄電部と、無線通信部と、環境用センサを備えた第２筐体を配置できる。これにより、帽体内部に配置するセンサを小型化、もしくは薄型化でき、作業者の違和感を軽減できる。また、第１筐体と第２筐体とが配線によって接続されることにより、第１非接触センサで得たデータを第２筐体の無線通信部を介して外部に出力できる。【００１８】
この発明の一態様に係る生体用非接触センサの第１筐体は、第１面と、第２面と、胴体部と、蓋部とを備えていることが好ましい。第１面と、第２面と、胴体部、または、第１面と第２面と蓋部とは、両面テープによって、接合されている。【００１９】
この構成では、第１非接触センサを小型化、もしくは薄型化できる。【００２０】
この発明の一態様に係る生体用非接触センサは、光学系を利用したセンサ素子を含み、ヘッドバンドは、計測用穴部を有していることが好ましい。計測用穴部と、センサ素子の入出光部とは対向している。【００２１】
この構成では、センサ素子の入出光部からセンシング信号を正確に取得することができ、生体の信号を確実に検出できる。【００２２】
この発明の一態様に係るヘルメットは、生体用非接触センサと、帽体と、帽体の内側に配置されたヘッドバンドとを備える。生体用非接触センサは、帽体と、ヘッドバンドとの間に固定される。【００２３】
この構成では、ヘルメットを装着するときにセンサが作業者の頭部に直接接触しないため、装着時の違和感を軽減することができる。【００２４】
この発明の一態様に係るセンサの取付構造は、生体用非接触センサをバンドにとりつける取付構造である。生体用非接触センサは、第１面と、第１面とに対向する第２面を有する矩形状の胴体部と、第１面に設けられた第１爪部と、第２面に設けられた第２爪部とを有する。生体用非接触センサは、第１爪部と第２爪部とを用いて取り付けられる。【００２５】
この構成では、センサを装着するときにセンサが作業者に直接接触しないため、装着時の違和感を軽減することができる。
【発明の効果】
【００２６】
この発明によれば、装着者に、装着時の違和感を軽減しつつ、生体情報または環境情報を取得可能なセンサを備えたヘルメットを提供できる。
【図面の簡単な説明】
【００２７】
【図１】図１は本発明の第１の実施形態に係るヘルメット１の外観図（平面図）である。
【図２】図２は本発明の第１の実施形態に係る第１センサモジュール１００の外観図である。
【図３】図３は本発明の第１の実施形態に係る第１センサモジュール１００の分解斜視図である。
【図４】図４（Ａ）は、本発明の第１の実施形態に係るヘッドバンド３００の一部の構成を拡大して示す図であり、図４（Ｂ）は、第１センサモジュール１００を取り付けた概要図である。
【図５】図５（Ａ）は、本発明の第１の実施形態に係るヘルメット１の概略構成を示す側面図であり、図５（Ｂ）は、図５（Ａ）のヘルメット１の前頭部ＦＤ（内部）を第１方向から視た部分拡大図であり、図５（Ｃ）は、図５（Ａ）のヘルメット１の前頭部ＦＤ（内部）を第２方向から視た部分拡大図である。
【図６】図６は本発明の第１の実施形態に係るヘルメット１を装着した状態での側面図である。
【図７】図７は本発明の第１の実施形態に係るヘルメット１に関する機能ブロック図である。
【図８】図８（Ａ）は、本発明の第２の実施形態に係る第１センサモジュール１００Ａの概要図であり、図８（Ｂ）は、ヘッドバンド３００Ａの一部の構成を拡大して示す図であり、図８（Ｃ）は、第１センサモジュール１００Ａをヘッドバンド３００Ａに取り付けた概要図である。
【図９】図９（Ａ）は、本発明の第３の実施形態に係る第１センサモジュール１００Ｂの概要図であり、図９（Ｂ）は、ヘッドバンド３００の一部の構成を拡大して示す図であり、図９（Ｃ）は、第１センサモジュール１００Ｂをヘッドバンド３００に取り付けた概要図である。
【図１０】図１０は本発明の第４の実施形態に係る第１センサモジュール１００Ｃの概要図である。
【図１１】図１１は本発明の第５の実施形態に係る第１センサモジュール１００Ｄの概要図である。
【図１２】図１２は本発明の第６の実施形態に係る第１センサモジュール１００Ｅの概要図である。
【発明を実施するための形態】
【００２８】
（第１の実施形態）
本発明の第１の実施形態に係る電子機器について、図を参照して説明する。図１は、本発明の第１の実施形態に係るヘルメット１の外観図（平面図）である。図２は、本発明の第１の実施形態に係る第１センサモジュール１００の外観図である。図３は、本発明の第１の実施形態に係る第１センサモジュール１００の分解斜視図である。図４（Ａ）は、本発明の第１の実施形態に係るヘッドバンド３００の一部の構成を拡大して示す図であり、図４（Ｂ）は、第１センサモジュール１００を取り付けた概要図である。図５（Ａ）は、本発明の第１の実施形態に係るヘルメット１の概略構成を示す側面図であり、図５（Ｂ）は、図５（Ａ）のヘルメット１の前頭部ＦＤ（内部）を第１方向から視た部分拡大図であり、図５（Ｃ）は、図５（Ａ）のヘルメット１の前頭部ＦＤ（内部）を第２方向から視た部分拡大図である。図６は、本発明の第１の実施形態に係るヘルメット１を装着した状態での側面図である。図７は、本発明の第１の実施形態に係るヘルメット１に関する機能ブロック図である。なお、各図では、構成を見やすくするため、寸法関係を適宜変更している。
【００２９】
図１に示すように、ヘルメット１は、帽体１０、第１センサモジュール１００、第２センサモジュール２００、ヘッドバンド３００、配線４００を備える。
【００３０】
ヘルメット１は、例えば工事現場等で用いられる産業用保護帽（作業用ヘルメット）であり、作業者の頭部を、飛来物、落下物から保護する。作業者は、作業者の額が前頭部ＦＤ側となるようにヘルメット１（帽体１０）を装着する。
【００３１】
ヘッドバンド３００は、ヘルメット１（帽体１０）に対する衝撃を緩和し、作業者の頭部を保護する部品である。ヘッドバンド３００は、帽体１０と、ヘルメット１を装着する作業者（頭部）との間に配置されている。ヘッドバンド３００は、前頭、側頭、後頭を含む頭部の全周に亘る、略環状であり、所定の幅を有する。
【００３２】
第１センサモジュール１００は、第１筐体１０５を有し、ヘッドバンド３００に固定されている。第１センサモジュール１００は、帽体１０と、ヘッドバンド３００とに挟まれるように前頭部ＦＤ側（作業者の額側）に配置されている。この際、第１センサモジュール１００は、静止状態で帽体１０に接触していない。
【００３３】
第１センサモジュール１００は、本発明の生体用非接触センサに対応し、光学系の非接触センサ素子を含む、モジュールである。第１センサモジュール１００は、例えば、ヘルメット１を装着する作業者（以下、作業者）の温度を測定するセンサ素子、心拍を測定するセンサ素子等を備え、作業者の生体信号を測定する。上述の構成によって、第１センサモジュール１００は、作業者の額に近い位置に配置される。
【００３４】
第２センサモジュール２００は、第２筐体を有し、帽体１０の側頭部ＳＤに固定されている。第２センサモジュール２００は、帽体１０の外側に接するように配置されている。第１センサモジュール１００と第２センサモジュール２００とは、配線４００で接続されている。
【００３５】
第２センサモジュール２００は、本発明の環境用センサに対応する。第２センサモジュール２００は、例えば、外気温を測定するセンサ素子、湿度を測定するセンサ素子等を備え、作業者の周囲環境の状態を測定する。
【００３６】
第２センサモジュール２００は、外部装置と通信するための無線通信部を備えている。第２センサモジュール２００がこの無線通信部を備えていることにより、第１センサモジュール１００で計測したデータ、および第２センサモジュール２００で計測したデータを外部装置に出力することができる。第２センサモジュール２００の他の詳細な構成については、後述する。
【００３７】
図２、図３を用いて、第１センサモジュール１００の構造について説明する。
【００３８】
まず、図２を用いて、第１センサモジュール１００の外観構造について説明する。第１センサモジュール１００は、第１筐体１０５、突出部１１０Ａ、突出部１１０Ｂ、突出部１１０Ｃ、突出部１１０Ｄを備える。第１筐体１０５は、第１面１０１、第２面１０２、第３面１０３、第４面１０４を備え、平面視で略矩形状である。突出部１１０Ａ、突出部１１０Ｂ、突出部１１０Ｃは、第１面１０１側に第１面１０１の長手方向に沿って形成されており、突出部１１０Ｂは、突出部１１０Ａと突出部１１０Ｃとに挟まれる位置に形成されている。突出部１１０Ｄは、第２面１０２側に形成されている。なお、突出部１１０Ａは、本発明の「第１爪部」であり、突出部１１０Ｄは、本発明の「第２爪部」であり、突出部１１０Ｃは、本発明の「第３爪部」である。
【００３９】
次に、図２、図３を用いて、第１センサモジュール１００における、第１筐体１０５の詳細な構造について説明する。第１筐体１０５は、蓋部１０５Ａ、粘着テープ１０５Ｂ、基板１０５Ｃ、胴体部１０５Ｄ、センサ１０５Ｅ、入出光部１０５Ｆを備える。蓋部１０５Ａは、第３面１０３を有し、胴体部１０５Ｄは、第１面１０１、第２面１０２、第４面１０４を有する。センサ１０５Ｅは、基板１０５Ｃに実装されている。
【００４０】
胴体部１０５Ｄは、第４面１０４の全ての辺に対し、垂直な平面を連接した形状である。言い換えれば、胴体部１０５Ｄは、方形の器のような形状である。これらの側壁のうち互いに対向する２側壁により、第１面１０１と、第２面１０２とが構成される。なお、第１面１０１と第２面１０２とが平行に配置されている必要はなく、第１面１０１と第２面１０２とが対向する位置に配置されていれば良い。
【００４１】
基板１０５Ｃとセンサ１０５Ｅとは、胴体部１０５Ｄの内部に配置されている。
【００４２】
第１筐体１０５を構成する蓋部１０５Ａ、胴体部１０５Ｄは、樹脂である。すなわち、第１筐体１０５を軽量化でき、加工し易い。
【００４３】
第１筐体１０５は、厚み方向に、蓋部１０５Ａ、粘着テープ１０５Ｂ、基板１０５Ｃ、胴体部１０５Ｄの順に積層されている。蓋部１０５Ａは、粘着テープ１０５Ｂを介して、胴体部１０５Ｄ（第１面１０１、第２面１０２）に接合されている。
【００４４】
粘着テープ１０５Ｂは、両面テープである。また、粘着テープ１０５Ｂは、蓋部１０５Ａと、胴体部１０５Ｄとを接合できる材質であればよい。蓋部１０５Ａと胴体部１０５Ｄとが、粘着テープ１０５Ｂで固定されていることにより、ネジを用いて固定する場合よりも、第１筐体１０５の厚みを薄くできる。
【００４５】
入出光部１０５Ｆは、胴体部１０５Ｄに形成されている。より具体的には、入出光部１０５Ｆは、基板１０５Ｃに形成されているセンサ１０５Ｅに対向する位置に形成されている。すなわち、入出光部１０５Ｆは、胴体部１０５Ｄを平面視して重なり、少なくともセンサ１０５Ｅよりも面積が大きい形状であればよい。
【００４６】
また、第１筐体１０５は、全面を防水シート等で覆われる構造であってもよい。このことによって、作業者の汗や雨等の水分から、第１筐体１０５内部に配置される基板１０５Ｃ、センサ１０５Ｅを保護することができる。
【００４７】
第１センサモジュール１００（第１筐体１０５）をヘッドバンド３００に固定する具体的な構造を、図４（Ａ）、図４（Ｂ）を用いて説明する。図４（Ａ）は、ヘッドバンド３００の構造の一部を拡大した図である。図４（Ｂ）は、ヘッドバンド３００に第１センサモジュール１００（第１筐体１０５）を固定した概要図である。
【００４８】
図４（Ａ）に示すように、ヘッドバンド３００は、突起部３０１、突起部３０２、突起部３０３、突起部３０４を備える。突起部３０１、突起部３０２、突起部３０３、突起部３０４が配置された箇所を線で結ぶと、矩形状の領域が形成される。ヘッドバンド３００は、突起部３０１、突起部３０２、突起部３０３、突起部３０４で囲まれる矩形状の領域内に、ヘッドバンド３００を貫通する計測用穴部３５０を備えていてもよい。なお、突起部３０１が、本発明の「第１突起部」であり、突起部３０２が、本発明の「第２突起部」である。また、突起部３０３が、本発明の「第３突起部」であり、突起部３０４が、本発明の「第４突起部」である。
【００４９】
突起部３０１、突起部３０２、突起部３０３、突起部３０４は、一般的なヘルメットの帽体１０（ヘルメット１）が受ける衝撃を軽減するために設けられている、緩衝用の突起であってもよい。
【００５０】
次に、図４（Ｂ）に示すように、ヘッドバンド３００に第１センサモジュール１００（第１筐体１０５）を固定する構造について説明する。
【００５１】
第１センサモジュール１００の突出部１１０Ａは、ヘッドバンド３００の突起部３０１に差し込まれ、第１センサモジュール１００の突出部１１０Ｃは、ヘッドバンド３００の突起部３０３に差し込まれる。言い換えれば、突出部１１０Ａは、突起部３０１に当接して固定され、突出部１１０Ｃは、突起部３０３に当接して固定される。第１センサモジュール１００の突出部１１０Ｄは、ヘッドバンド３００の突起部３０２と、突起部３０４との間に挟まれるように配置される。言い換えれば、突出部１１０Ｄは、突起部３０２、突起部３０４に当接して固定される。このようにして、第１センサモジュール１００（第１筐体１０５）は、ヘッドバンド３００に固定される。なお、本明細書等において「突出部が突起部に当接して固定される」とは、突出部が突起部に差し込まれて固定される態様、突出部が複数の突起部に挟持される態様を含む。
【００５２】
さらに、第１センサモジュール１００の突出部１１０Ｂは、ヘッドバンド３００の突起部３０１と、突起部３０３との間に挟まれるように配置されることによって、より確実に第１センサモジュール１００（第１筐体１０５）をヘッドバンド３００に固定できる。
【００５３】
このことから、突出部１１０Ａは突起部３０１に、突出部１１０Ｃは突起部３０３に差し込むことができ、振動等で容易に外れない大きさであればよい。また、突出部１１０Ｂは、突起部３０１と、突起部３０３とによって挟まれた状態で、突起部３０１と、突起部３０３とに接触してもよい。また、突出部１１０Ｄは、突起部３０２と、突起部３０４とによって挟持された状態で、突起部３０２と、突起部３０４に接触する大きさとしてもよい。
【００５４】
また、計測用穴部３５０は、第１センサモジュール１００のセンサ１０５Ｅに対向する位置に形成されている。このことによって、センサ１０５Ｅは、作業者の生体信号を正確に測定することができる。
【００５５】
次に、図５（Ａ）、図５（Ｂ）、図５（Ｃ）を用いて、ヘルメット１に、第１センサモジュール１００を固定するより具体的な構成について説明する。
【００５６】
図５（Ａ）は、帽体１０の一部を取り除き、ヘルメット１を側頭部ＳＤ側から視た、帽体１０の内部構造を示した図である。ヘッドバンド３００は、着装体３０５を備える。ヘッドバンド３００は、この着装体３０５を介して、帽体１０に固定される。第１センサモジュール１００は、帽体１０の内側と、ヘッドバンド３００との間に固定されている。
【００５７】
上述の図４（Ａ）、図４（Ｂ）と同様に、図５（Ｂ）、図５（Ｃ）に示すとおり、突出部１１０Ａは突起部３０１に差し込まれ、突出部１１０Ｃは突起部３０３に差し込まれる。突出部１１０Ｄは、突起部３０２と、突起部３０４との間に挟まれるように配置される。このことから、第１センサモジュール１００（第１筐体１０５）は、ヘッドバンド３００に固定される。
【００５８】
また、第１センサモジュール１００（第１筐体１０５）は、配線４００を介して、第２センサモジュール２００（図示を省略）に接続されている。第１センサモジュール１００で取得した生体信号は、第２センサモジュール２００に出力される。
【００５９】
なお、配線４００は、収縮チューブで覆われていてもよい。このことによって、配線４００が、水分、湿度等から保護される。
【００６０】
図５（Ｃ）に示すように、ヘルメット１を第２方向から視た場合、計測用穴部３５０と、入出光部１０５Ｆとが対向するように構成されていることによって、センサ１０５Ｅは、生体信号を計測することができる。
【００６１】
図６は、作業者５００がヘルメット１を装着したイメージ図であり、図５（Ａ）と同様に、帽体１０の一部を取り除き、側頭部ＳＤ側から視た、帽体１０の内部の構成を示した図である。
【００６２】
作業者５００の額５１０は、ヘッドバンド３００に当接している。第１センサモジュール１００（第１筐体１０５）は、ヘッドバンド３００を介して、額５１０に対向している。つまり、第１センサモジュール１００は、作業者５００の額５１０に当接することなく配置される。さらに、ヘッドバンド３００に形成されている計測用穴部３５０と、第１センサモジュール１００の第１筐体１０５に形成されている入出光部１０５Ｆとが、作業者５００の額５１０側から平面視したときに重なるように配置される。
【００６３】
このことによって、作業者５００が生体用のセンサ（ヘルメット１）を装着する際の、作業者５００が感じる違和感は軽減される。また、ヘッドバンド３００に形成されている計測用穴部３５０と、第１センサモジュール１００の第１筐体１０５に形成されている入出光部１０５Ｆとが、作業者５００の額５１０を平面視して重なることによって、第１センサモジュール１００は、作業者５００の生体信号を確実に計測することができる。
【００６４】
図７を用いて、第１センサモジュール１００と、第２センサモジュール２００の機能ブロック図について説明する。図７は、本発明の第１の実施形態に係るヘルメット１に関する機能ブロック図である。
【００６５】
第１センサモジュール１００は、センサ１０５Ｅ、制御部１５５を備える。センサ１０５Ｅは、例えば、人体温度センサ素子１０５１、心拍センサ素子１０５２、血流センサ素子１０５３、加速度センサ素子１０５４を備える。
【００６６】
第２センサモジュール２００は、制御部２０１、蓄電部２０２、センサ２０３、通信部２０４を備える。センサ２０３は、例えば、外気温度センサ素子２０３１、湿度センサ素子２０３２、圧力センサ素子２０３３を備える。通信部２０４は、外部に備えた計測データ保存装置等と無線通信を行い、第１センサモジュール１００、または第２センサモジュール２００で計測したデータを計測データ保存装置等に送信する。なお、計測データ保存装置とは、作業者５００、もしくは作業者５００の周囲環境の測定したデータを保存し、当該データを統計的に管理する装置である。
【００６７】
例えば、第１センサモジュール１００が作業者５００の体温を計測する場合について説明する。人体温度センサ素子１０５１は、作業者５００の額５１０から、作業者５００の体温を計測する。人体温度センサ素子１０５１は、計測した体温（計測体温）を制御部１５５に出力する。
【００６８】
制御部１５５は、配線４００を介して、計測体温を第２センサモジュール２００の制御部２０１に出力する。制御部２０１は、通信部２０４に計測体温を出力する。通信部２０４は、計測体温を計測データ保存装置（図示せず）に出力する。
【００６９】
また、第１センサモジュール１００は、心拍センサ素子１０５２を備えていることによって、心拍を測定し、作業者のストレス状態を測定できる。また、第１センサモジュール１００は、血流センサ素子１０５３を備えることによって、作業者５００の血流から体調を測定できる。さらに、加速度センサ素子１０５４を備えることによって、作業者５００に衝撃が発生した場合の状況を測定できる。
【００７０】
次に、第２センサモジュール２００が作業者５００の周囲温度を計測する場合について説明する。外気温度センサ素子２０３１は、作業者５００の周囲の温度（外気温度）を計測する。外気温度センサ素子２０３１は、計測した外気温度を制御部２０１に出力する。制御部２０１は、通信部２０４に外気温度を出力する。通信部２０４は、計測体温を計測データ保存装置（図示せず）に出力する。
【００７１】
このことによって、ヘルメット１を装着している作業者５００の情報、もしくは、作業者５００の周囲の情報を統計的に活用できる。
【００７２】
また、第１センサモジュール１００は、作業者５００、すなわちヘルメット１の内部の状態を計測するためのセンサを含む。第２センサモジュール２００は、作業者５００の外部、すなわちヘルメット１の外部（近辺）の状態を計測するためのセンサを含む。したがって、第１センサモジュール１００には、作業者５００のみを計測するためのセンサを備えていればよいため、第１センサモジュール１００の構成を最小限にできる。
【００７３】
第２センサモジュール２００の蓄電部２０２は、上述の配線４００を介して、第１センサモジュール１００に電力を供給できる構成であることが好ましい。このことによって、第１センサモジュール１００の構成をさらに最小限にでき、小型化できる。
【００７４】
第２センサモジュール２００は、ヘルメット１の側頭部ＳＤに取り付けられている。このことによって、第２センサモジュール２００の通信部２０４は、ヘルメット１の外部に取り付けられるため、通信部２０４の電波強度を確保できる。
【００７５】
なお、第１センサモジュール１００と、第２センサモジュール２００とに搭載されるセンサは、上述の限りではなく、第１センサモジュール１００は、作業者５００の生体信号、および、第２センサモジュール２００は、作業者５００の外部環境を測定できるセンサであればよい。
【００７６】
以上のような構成を用いることで、作業者５００がヘルメット１を装着する際にセンサを有することによる違和感、負担が軽減される。また、ヘッドバンド３００に形成されている計測用穴部３５０と、第１センサモジュール１００の第１筐体１０５に形成されている入出光部１０５Ｆとが平面視して重なることによって、第１センサモジュール１００は、作業者５００の生体信号を確実に計測することができる。また、作業者が普段から使用しているヘルメットの構造を変更することなく、第１センサモジュール１００を取り付けることができる。さらに、第１センサモジュール１００は脱着可能に構成されるため、ヘルメットに容易に取り付けおよび取り外しすることができる。
【００７７】
（第２の実施形態）
本発明の第２の実施形態に係るヘルメットについて、図を参照して説明する。図８（Ａ）は、本発明の第２の実施形態に係る第１センサモジュール１００Ａの概要図であり、図８（Ｂ）は、ヘッドバンド３００Ａの一部の構成を拡大して示す図であり、図８（Ｃ）は、第１センサモジュール１００Ａをヘッドバンド３００Ａに取り付けた概要図である。図８（Ａ）、図８（Ｂ）、図８（Ｃ）においては、図を見やすくするために、一部の部品、一部の符号の付記を省略している。
【００７８】
図８（Ａ）、図８（Ｂ）、図８（Ｃ）に示すように、第２の実施形態に係るヘルメット１Ａは、第１の実施形態に係るヘルメット１に対して、突出部１２０Ａ、突出部１２０Ｂの形状、および突起部３０１Ａ、突起部３０２Ａの形状において異なる。ヘルメット１Ａの他の構成は、ヘルメット１と同様であり、同様の箇所の説明は省略する。
【００７９】
図８（Ａ）に示すように、第１センサモジュール１００Ａは、第１筐体１０５、突出部１２０Ａ、突出部１２０Ｂを備える。第１筐体１０５は、第１面１０１と、第２面１０２と、第３面１０３と、第４面１０４とを備え、平面視で略矩形状である。突出部１２０Ａは、第１筐体１０５の第１面１０１側に形成されている。突出部１２０Ｂは、第１筐体１０５の第２面１０２側に形成されている。なお、突出部１２０Ａは、本発明の「第１爪部」であり、突出部１２０Ｂは、本発明の「第２爪部」である。
【００８０】
図８（Ｂ）に示すように、ヘッドバンド３００Ａは、突起部３０１Ａ、突起部３０２Ａを備える。ヘッドバンド３００は、突起部３０１Ａ、突起部３０２Ａの間に、計測用穴部３５０を備える。計測用穴部３５０は、ヘッドバンド３００Ａを貫通する穴である。なお、突起部３０１Ａは、本発明の「第１突起部」であり、突起部３０２Ａは、本発明の「第２突起部」である。
【００８１】
図８（Ｃ）を用いて、ヘッドバンド３００Ａに第１センサモジュール１００Ａ（第１筐体１０５）を固定する構造について説明する。
【００８２】
突出部１２０Ａは、突起部３０１Ａに差し込まれ、突出部１２０Ｂは、突起部３０２Ａに差し込まれる。このようにして、第１センサモジュール１００Ａ（第１筐体１０５）は、ヘッドバンド３００Ａに固定される。
【００８３】
この構成であっても、作業者５００がヘルメット１Ａを装着する際にセンサを有することによる違和感、負担が軽減される。また、ヘッドバンド３００Ａに形成されている計測用穴部３５０と、第１センサモジュール１００Ａの第１筐体１０５に形成されている入出光部１０５Ｆとが平面視して重なることによって、第１センサモジュール１００Ａは、作業者５００の生体信号を確実に計測することができる。また、作業者が普段から使用しているヘルメットの構造を変更することなく、第１センサモジュール１００Ａを取り付けることができる。さらに、第１センサモジュール１００Ａは脱着可能に構成されるため、ヘルメットに容易に取り付けおよび取り外しすることができる。
【００８４】
（第３の実施形態）
本発明の第３の実施形態に係るヘルメットについて、図を参照して説明する。図９（Ａ）は、本発明の第３の実施形態に係る第１センサモジュール１００Ｂの概要図であり、図９（Ｂ）は、ヘッドバンド３００の一部の構成を拡大して示す図であり、図９（Ｃ）は、第１センサモジュール１００Ｂをヘッドバンド３００に取り付けた概要図である。図９（Ａ）、図９（Ｂ）、図９（Ｃ）においては、図を見やすくするために、一部の部品、一部の符号の付記を省略している。
【００８５】
図９（Ａ）、図９（Ｂ）、図９（Ｃ）に示すように、第３の実施形態に係るヘルメット１Ｂは、第１の実施形態に係るヘルメット１に対して、突出部１１５Ｄ、突出部１１５Ｅ、突出部１１５Ｆの形状において異なる。ヘルメット１Ｂの他の構成は、ヘルメット１と同様であり、同様の箇所の説明は省略する。
【００８６】
図９（Ａ）に示すように、第１センサモジュール１００Ｂは、第１筐体１０５、突出部１１０Ａ、突出部１１０Ｂ、突出部１１０Ｃ、突出部１１５Ｄ、突出部１１５Ｅ、突出部１１５Ｆを備える。第１筐体１０５は、第１面１０１、第２面１０２、第３面１０３、第４面１０４を備え、平面視で略矩形状である。突出部１１０Ａ、突出部１１０Ｂ、突出部１１０Ｃは、第１筐体１０５の第１面１０１側に第１面１０１の長手方向に沿って形成されており、突出部１１０Ｂは、突出部１１０Ａと突出部１１０Ｃとに挟まれる位置に形成されている。突出部１１５Ｄ、突出部１１５Ｅ、突出部１１５Ｆは、第１筐体１０５の第２面１０２側に第２面１０２の長手方向に沿って形成されており、突出部１１５Ｅは、突出部１１５Ｄと突出部１１５Ｆとに挟まれる位置に形成されている。
【００８７】
なお、突出部１１０Ａは、本発明の「第１爪部」であり、突出部１１０Ｂは、本発明の「第５爪部」であり、突出部１１０Ｃは、本発明の「第３爪部」である。突出部１１５Ｄは、本発明の「第２爪部」であり、突出部１１５Ｅは、本発明の「第６爪部」であり、突出部１１５Ｆは、本発明の「第４爪部」である。
【００８８】
図９（Ｂ）に示すように、ヘッドバンド３００は、第１の実施形態と同様の構成であり、突起部３０１、突起部３０２、突起部３０３、突起部３０４を備える。
【００８９】
図９（Ｃ）を用いて、ヘッドバンド３００に第１センサモジュール１００Ｂ（第１筐体１０５）を固定する構造について説明する。
【００９０】
突出部１１０Ａは、突起部３０１に差し込まれ、突出部１１０Ｃは、突起部３０３に差し込まれ、突出部１１５Ｄは、突起部３０２に差し込まれ、突出部１１５Ｆは、突起部３０４に差し込まれる。このようにして、第１センサモジュール１００Ｂ（第１筐体１０５）は、ヘッドバンド３００に固定される。
【００９１】
さらに、突出部１１０Ｂは、突起部３０１、突起部３０３との間に挟まれるように配置され、突出部１１５Ｅは、突起部３０２、突起部３０４との間に挟まれるように配置されることによって、より確実に第１センサモジュール１００Ｂ（第１筐体１０５）をヘッドバンド３００に固定できる。
【００９２】
この構成であっても、作業者５００がヘルメット１Ｂを装着する際にセンサを有することによる違和感、負担が軽減される。また、ヘッドバンド３００に形成されている計測用穴部３５０と、第１センサモジュール１００Ｂの第１筐体１０５に形成されている入出光部１０５Ｆとが平面視して重なることによって、第１センサモジュール１００Ｂは、作業者５００の生体信号を確実に計測することができる。また、作業者が普段から使用しているヘルメットの構造を変更することなく、第１センサモジュール１００Ｂを取り付けることができる。さらに、第１センサモジュール１００Ｂは脱着可能に構成されるため、ヘルメットに容易に取り付けおよび取り外しすることができる。
【００９３】
（第４の実施形態）
本発明の第４の実施形態に係るヘルメットについて、図を参照して説明する。図１０は、本発明の第４の実施形態に係る第１センサモジュール１００Ｃの概要図である。図１０においては、図を見やすくするために、一部の部品、一部の符号の付記を省略している。
【００９４】
図１０に示すように、第４の実施形態に係るヘルメット１Ｃは、第１の実施形態に係るヘルメット１に対して、突出部１１５Ｂ、突出部１１５Ｄの形状、ヘッドバンド３００Ｃに固定する構造において異なる。ヘルメット１Ｃの他の構成は、ヘルメット１と同様であり、同様の箇所の説明は省略する。
【００９５】
図１０に示すように、第１センサモジュール１００Ｃは、第１筐体１０５、突出部１１０Ａ、突出部１１５Ｂ、突出部１１０Ｃ、突出部１１５Ｄを備える。なお、突出部１１５Ｂは、本発明の「第１爪部」であり、突出部１１５Ｄは、本発明の「第２爪部」である。
【００９６】
突出部１１５Ｂには、第１固定用穴１１６Ｂが形成されている。突出部１１５Ｄには、第２固定用穴１１６Ｄが形成されている。
【００９７】
第１固定用穴１１６Ｂと、第２固定用穴１１６Ｄには、固定用バンド７００が通されており、第１センサモジュール１００Ｃ（第１筐体１０５）は、この固定用バンド７００を用いて、ヘッドバンド３００Ｃに固定されている。
【００９８】
この構成であっても、作業者５００がヘルメット１Ｃを装着する際にセンサを有することによる違和感、負担が軽減される。また、第１センサモジュール１００Ｃは、作業者５００の生体信号を確実に計測することができる。また、作業者が普段から使用しているヘルメットの構造を変更することなく、第１センサモジュール１００Ｃを取り付けることができる。さらに、第１センサモジュール１００Ｃは脱着可能に構成されるため、ヘルメットに容易に取り付けおよび取り外しすることができる。
【００９９】
また、ヘッドバンド３００に、突起部３０１、突起部３０２、突起部３０３、突起部３０４が形成されていない場合でも、第１センサモジュール１００Ｃをヘッドバンド３００Ｃに容易に固定することができる。
【０１００】
（第５の実施形態）
本発明の第５の実施形態に係るヘルメットについて、図を参照して説明する。図１１は、本発明の第５の実施形態に係る第１センサモジュール１００Ｄの概要図である。図１１においては、図を見やすくするために、一部の部品、一部の符号の付記を省略している。
【０１０１】
図１１に示すように、第５の実施形態に係るヘルメット１Ｄは、第２の実施形態に係るヘルメット１Ａに対して、突出部１２５Ａ、突出部１２５Ｂの形状、ヘッドバンド３００Ｄに固定する構造において異なる。ヘルメット１Ｄの他の構成は、ヘルメット１Ａと同様であり、同様の箇所の説明は省略する。
【０１０２】
図１１に示すように、第１センサモジュール１００Ｄは、第１筐体１０５、突出部１２５Ａ、突出部１２５Ｂを備える。突出部１２５Ａは、本発明の「第１爪部」であり、突出部１２５Ｂは、本発明の「第２爪部」である。
【０１０３】
突出部１２５Ａには、第１固定用穴１２６Ａが形成されている。突出部１２５Ｂには、第２固定用穴１２６Ｂが形成されている。
【０１０４】
第１固定用穴１２６Ａと、第２固定用穴１２６Ｂには、固定用バンド７００が通されており、第１センサモジュール１００Ｄ（第１筐体１０５）は、この固定用バンド７００を用いて、ヘッドバンド３００Ｄに固定されている。
【０１０５】
この構成であっても、作業者５００がヘルメット１Ｄを装着する際にセンサを有することによる違和感、負担が軽減される。また、第１センサモジュール１００Ｄは、作業者５００の生体信号を確実に計測することができる。また、作業者が普段から使用しているヘルメットの構造を変更することなく、第１センサモジュール１００Ｄを取り付けることができる。さらに、第１センサモジュール１００Ｄは脱着可能に構成されるため、ヘルメットに容易に取り付けおよび取り外しすることができる。
【０１０６】
また、ヘッドバンド３００Ｄに、突起部３０１、突起部３０２が形成されていない場合でも、第１センサモジュール１００Ｄをヘッドバンド３００Ｄに容易に固定することができる。
【０１０７】
（第６の実施形態）
本発明の第６の実施形態に係るヘルメットについて、図を参照して説明する。図１２は、本発明の第６の実施形態に係る第１センサモジュール１００Ｅの概要図である。図１２においては、図を見やすくするために、一部の部品、一部の符号の付記を省略している。
【０１０８】
図１２に示すように、第６の実施形態に係るヘルメット１Ｅは、第３の実施形態に係るヘルメット１Ｂに対して、突出部１３５Ａ、突出部１３５Ｃ、突出部１３５Ｄ、突出部１３５Ｆの形状、ヘッドバンド３００Ｅに固定する構造において異なる。ヘルメット１Ｅの他の構成は、ヘルメット１Ｂと同様であり、同様の箇所の説明は省略する。
【０１０９】
図１２に示すように、第１センサモジュール１００Ｅは、突出部１３５Ａ、突出部１１０Ｂ、突出部１３５Ｃ、突出部１３５Ｄ、突出部１１５Ｅ、突出部１３５Ｆを備える。なお、突出部１３５Ａは、本発明の「第１爪部」であり、突出部１１０Ｂは、本発明の「第５爪部」であり、突出部１３５Ｃは、本発明の「第３爪部」である。突出部１３５Ｄは、本発明の「第２爪部」であり、突出部１１５Ｅは、本発明の「第６爪部」であり、突出部１３５Ｆは、本発明の「第４爪部」である。
【０１１０】
突出部１３５Ａには、第１固定用穴１３６Ａが形成されており、突出部１３５Ｄには、第２固定用穴１３６Ｄが形成されている。また、突出部１３５Ｃには、第３固定用穴１３６Ｃが形成されており、突出部１３５Ｆには、第４固定用穴１３６Ｆが形成されている。
【０１１１】
第１固定用穴１３６Ａ、第２固定用穴１３６Ｄ、第３固定用穴１３６Ｃ、第４固定用穴１３６Ｆには、固定用バンド７００が通されており、第１センサモジュール１００Ｅ（第１筐体１０５）は、この固定用バンド７００を用いて、ヘッドバンド３００Ｅに固定されている。
【０１１２】
この構成であっても、作業者５００がヘルメット１Ｅを装着する際にセンサを有することによる違和感、負担が軽減される。また、第１センサモジュール１００Ｅは、作業者５００の生体信号を確実に計測することができる。また、作業者が普段から使用しているヘルメットの構造を変更することなく、第１センサモジュール１００Ｅを取り付けることができる。さらに、第１センサモジュール１００Ｅは脱着可能に構成されるため、ヘルメットに容易に取り付けおよび取り外しすることができる。
【０１１３】
また、ヘッドバンド３００Ｅに、突起部３０１、突起部３０２、突起部３０３、突起部３０４が形成されていない場合でも、第１センサモジュール１００Ｅをヘッドバンド３００Ｅに容易に固定することができる。
【０１１４】
なお、上述の各実施形態の構成に限られるものではなく、これらの実施形態の組み合わせを変更したものであっても良い。
【符号の説明】
【０１１５】
ＦＤ…前頭部
ＳＤ…側頭部
１、１Ａ、１Ｂ、１Ｃ、１Ｄ、１Ｅ…ヘルメット
１０…帽体
１００、１００Ａ、１００Ｂ、１００Ｃ、１００Ｄ、１００Ｅ…第１センサモジュール
１０１…第１面
１０２…第２面
１０３…第３面
１０４…第４面
１０５…第１筐体
１０５Ａ…蓋部
１０５Ｂ…粘着テープ
１０５Ｃ…基板
１０５Ｄ…胴体部
１０５Ｅ…センサ
１０５Ｆ…入出光部
１１０Ａ、１１０Ｂ、１１０Ｃ、１１０Ｄ、１１５Ｂ、１１５Ｄ、１１５Ｅ、１１５Ｆ、１２０Ａ、１２０Ｂ、１２５Ａ、１２５Ｂ、１３５Ａ、１３５Ｃ、１３５Ｄ、１３５Ｆ…突出部
１１６Ｂ、１２６Ａ、１３６Ａ…第１固定用穴
１１６Ｄ、１２６Ｂ、１３６Ｄ…第２固定用穴
１３６Ｃ…第３固定用穴
１３６Ｆ…第４固定用穴
１５５…制御部
２００…第２センサモジュール
２０１…制御部
２０２…蓄電部
２０３…センサ
２０４…通信部
３００、３００Ａ、３００Ｃ、３００Ｄ、３００Ｅ…ヘッドバンド
３０１、３０１Ａ、３０２、３０２Ａ、３０３、３０４…突起部
３０５…着装体
３５０…計測用穴部
４００…配線
５００…作業者
５１０…額
７００…固定用バンド
１０５１…人体温度センサ素子
１０５２…心拍センサ素子
１０５３…血流センサ素子
１０５４…加速度センサ素子
２０３１…外気温度センサ素子
２０３２…湿度センサ素子
２０３３…圧力センサ素子
【図１】
2019220908.tif 000003
【図２】
2019220908.tif 000004
【図３】
2019220908.tif 000005
【図４】
2019220908.tif 000006
【図５】
2019220908.tif 000007
【図６】
2019220908.tif 000008
【図７】
2019220908.tif 000009
【図８】
2019220908.tif 000010
【図９】
2019220908.tif 000011
【図１０】
2019220908.tif 000012
【図１１】
2019220908.tif 000013
【図１２】
2019220908.tif 000014
【手続補正書】
【提出日】令和2年4月17日(2020.4.17)
【手続補正２】
【補正対象書類名】明細書
【補正対象項目名】００１７
【補正方法】変更
【補正の内容】
【００１７】
この構成では、帽体の外側に蓄電部と、無線通信部と、環境用センサを備えた第２筐体を配置できる。これにより、帽体内部に配置するセンサを小型化、もしくは薄型化でき、作業者の違和感を軽減できる。また、第１筐体と第２筐体とが配線によって接続されることにより、生体用非接触センサで得たデータを第２筐体の無線通信部を介して外部に出力できる。
【手続補正３】
【補正対象書類名】明細書
【補正対象項目名】００２４
【補正方法】変更
【補正の内容】
【００２４】
この発明の一態様に係るセンサの取付構造は、生体用非接触センサをバンドにとりつける取付構造である。生体用非接触センサは、第１面と、第１面に対向する第２面を有する矩形状の胴体部と、第１面に設けられた第１爪部と、第２面に設けられた第２爪部とを有する。生体用非接触センサは、第１爪部と第２爪部とを用いて取り付けられる。
【手続補正４】
【補正対象書類名】明細書
【補正対象項目名】００４５
【補正方法】変更
【補正の内容】
【００４５】
入出光部１０５Ｆは、胴体部１０５Ｄに形成されている。より具体的には、入出光部１０５Ｆは、基板１０５Ｃに形成されているセンサ１０５Ｅに対向する位置に形成されている。すなわち、入出光部１０５Ｆは、胴体部１０５Ｄを平面視して、センサ１０５Ｅに重なり、少なくともセンサ１０５Ｅよりも面積が大きい形状であればよい。
【手続補正５】
【補正対象書類名】明細書
【補正対象項目名】００７０
【補正方法】変更
【補正の内容】
【００７０】
次に、第２センサモジュール２００が作業者５００の周囲温度を計測する場合について説明する。外気温度センサ素子２０３１は、作業者５００の周囲の温度（外気温度）を計測する。外気温度センサ素子２０３１は、計測した外気温度を制御部２０１に出力する。制御部２０１は、通信部２０４に外気温度を出力する。通信部２０４は、外気温度を計測データ保存装置（図示せず）に出力する。
【手続補正６】
【補正対象書類名】明細書
【補正対象項目名】００８０
【補正方法】変更
【補正の内容】
【００８０】
図８（Ｂ）に示すように、ヘッドバンド３００Ａは、突起部３０１Ａ、突起部３０２Ａを備える。ヘッドバンド３００Ａは、突起部３０１Ａ、突起部３０２Ａの間に、計測用穴部３５０を備える。計測用穴部３５０は、ヘッドバンド３００Ａを貫通する穴である。なお、突起部３０１Ａは、本発明の「第１突起部」であり、突起部３０２Ａは、本発明の「第２突起部」である。
【手続補正７】
【補正対象書類名】明細書
【補正対象項目名】００９９
【補正方法】変更
【補正の内容】
【００９９】
また、ヘッドバンド３００Ｃに、突起部３０１、突起部３０２、突起部３０３、突起部３０４が形成されていない場合でも、第１センサモジュール１００Ｃをヘッドバンド３００Ｃに容易に固定することができる。
【手続補正８】
【補正対象書類名】特許請求の範囲
【補正対象項目名】全文
【補正方法】変更
【補正の内容】
【特許請求の範囲】
【請求項１】
生体用非接触センサと、
帽体と、
前記帽体の内側に装着されるヘッドバンドと、
を備え、
前記ヘッドバンドは、前記帽体の前頭部に対向する面に、第１突起部と、第２突起部と、を備え、
前記生体用非接触センサは、
第１面と、前記第１面に対向する第２面と、を有する、第１筐体と、
前記第１面に設けられた第１爪部と、
前記第２面に設けられた第２爪部と、を有し、
前記第１爪部が前記第１突起部に当接して固定され、前記第２爪部が前記第２突起部に当接して固定される、ヘルメット。
【請求項２】
前記生体用非接触センサは、
前記第１面に設けられた第３爪部と、
前記第２面に設けられた第４爪部と、をさらに備え、
前記ヘッドバンドは、第３突起部と、第４突起部と、を備え、
前記第１爪部が前記第１突起部に差し込まれて固定され、
前記第２爪部が前記第２突起部に差し込まれて固定され、
前記第３爪部が前記第３突起部に差し込まれて固定され、
前記第４爪部が前記第４突起部に差し込まれて固定される、
請求項１に記載のヘルメット。
【請求項３】
前記生体用非接触センサは、
第１固定用穴を有し、前記第１面における前記第１爪部と前記第３爪部との間に設けられた第５爪部と、
第２固定用穴を有し、前記第２面における前記第２爪部と前記第４爪部との間に設けられた第６爪部と、をさらに備える、
請求項２に記載のヘルメット。
【請求項４】
前記生体用非接触センサは、
前記第１面に設けられた第３爪部をさらに備え、
前記ヘッドバンドは、第３突起部と、第４突起部と、を備え、
前記第１爪部が前記第１突起部に差し込まれて固定され、
前記第３爪部が前記第３突起部に差し込まれて固定され、
前記第２爪部が、前記第２突起部と前記第４突起部との間に挟持される、
請求項１に記載のヘルメット。
【請求項５】
前記第１爪部と、前記第２爪部には、
それぞれ、第１固定用穴と、第２固定用穴と、が形成されている、請求項１または請求項２に記載のヘルメット。
【請求項６】
前記帽体の外側に配置された第２筐体と、
前記第２筐体にそれぞれ内蔵された、蓄電部と、無線通信部と、環境用センサと、
を備え、
前記第１筐体と、前記第２筐体とは、前記帽体の内側と、前記ヘッドバンドとの間に配置された、配線によって接続される、
請求項１乃至請求項５のいずれかに記載のヘルメット。
【請求項７】
前記第１筐体は、
前記第１面と、前記第２面と、胴体部と、蓋部とを備え、
前記第１面と、前記第２面と、前記胴体部、または、前記第１面と、前記第２面と、前記蓋部とは、両面テープによって、接合されている、請求項１乃至請求項６のいずれかに記載のヘルメット。
【請求項８】
前記生体用非接触センサは、光学系を利用したセンサ素子を含み、
前記ヘッドバンドは、計測用穴部を有し、前記計測用穴部と、前記センサ素子の入出光部とは、対向している、請求項１乃至請求項７のいずれかに記載のヘルメット。
【国際調査報告】
2019220908.tif 000015
2019220908.tif 000016
2019220908.tif 000017